(57)【要約】【課題】コアネットワーク側の処理負荷を低減しつつページング信号の通信量を効果的に抑制すること。【解決手段】  移動体通信システム１００は、ＵＥ１０毎にＵＥ１０に対するページング処理の成功時の時刻情報と当該ページング処理の対象エリアを示すＴＡとを含むページング履歴情報を蓄積する在圏履歴データベース７０と、ページング処理を実行する時刻を含む時間帯に対応した時刻情報を含むページング履歴情報を集計し、集計したページング履歴情報に含まれるＴＡを基に、ＵＥ１０がその時刻に在圏する可能性の高いエリアを含むＴＡを推定するエリア推定部４３と、推定されたＴＡを優先的に対象として、ＵＥ１０に対するページング処理を実行し、当該ページング処理が成功した場合にページング履歴情報を在圏履歴データベース７０に登録するページング処理部４４と、を備える。【選択図】  図２
2018117272.tif 000002
【特許請求の範囲】
【請求項１】
移動局毎に前記移動局を呼び出すためのページング処理の成功時の時刻情報と当該ページング処理の対象エリアを示す位置登録エリアとを含むページング履歴情報を蓄積する履歴情報格納部と、
ページング処理を実行する時刻を含む時間帯に対応した前記時刻情報を含む前記ページング履歴情報を集計し、集計した前記ページング履歴情報に含まれる前記位置登録エリアを基に、前記移動局が前記時刻に在圏する可能性の高いエリアを含む位置登録エリアを推定するエリア推定部と、
前記エリア推定部によって推定された前記位置登録エリアを優先的に対象として、前記移動局に対するページング処理を実行し、当該ページング処理が成功した場合に当該ページング処理に関する前記ページング履歴情報を前記履歴情報格納部に登録するページング処理部と、
を備える移動体通信システム。
【請求項２】
前記ページング処理部は、前記エリア推定部によって推定された前記位置登録エリアを対象にページング処理を実行し、当該ページング処理が失敗した場合には、前記移動局が直近に在圏していたことが登録されていた前記位置登録エリアを含むエリアを対象に再度ページング処理を実行する、
請求項１記載の移動体通信システム。
【請求項３】
前記エリア推定部は、集計対象の前記ページング履歴情報の件数が閾値を超えた場合に、当該ページング履歴情報を基に前記位置登録エリアを推定する、
請求項１又は２に記載の移動体通信システム。
【請求項４】
前記エリア推定部は、前記ページング履歴情報の集計を、曜日毎及び時間帯毎に行う、
請求項１〜３のいずれか１項に記載の移動体通信システム。
【発明の詳細な説明】
【技術分野】
【０００１】
本発明は、ページング処理を実行する移動体通信システムに関する。
【背景技術】
【０００２】
移動体通信システムにおいては、無通信状態が一定時間継続されていた移動局を呼び出すためにノード装置から移動局に向けてページング信号が送信される（ページング処理）。ページング信号の通信量を削減するための技術としては、下記特許文献１に記載された方法が知られている。この方法においては、移動局の所定時刻における推定位置と移動局の移動後の予測位置とを基に移動局が現在在圏する可能性が高い基地局のリストを作成し、そのリストを基にページング信号の送出を基地局に依頼する。
【０００３】
また、下記特許文献２にも、ページング信号の通信量を抑制することができる通信システムが記載されている。この通信システムでは、移動局が現在位置するセルを推定し、まず、推定されたセルにおいて第１のページング信号を送信し、移動局が第１のページング信号に応答しなかった場合に、セルよりも広い位置登録エリアにおいて第２のページング信号を送信する。
【先行技術文献】
【特許文献】
【０００４】
【特許文献１】国際公開２０１４／０４９９１１号公報
【特許文献２】特開２０１０−２４６０１４号公報
【発明の概要】
【発明が解決しようとする課題】
【０００５】
しかしながら、上記の特許文献１に記載の従来方法においては、ページング信号の送信の際に移動局ごとの移動状態の予測処理を行う必要があるため、ノード装置を含むコアネットワーク側の処理負荷が高くなる傾向にある。また、上記特許文献２に記載の従来方法においては、移動局が現在位置するセルの推定精度によっては十分にページング信号の通信量が低減されない傾向にあった。
【０００６】
そこで、本発明は、かかる課題に鑑みて為されたものであり、コアネットワーク側の処理負荷を低減しつつページング信号の通信量を効果的に抑制することが可能な移動体通信システムを提供することを目的とする。
【課題を解決するための手段】
【０００７】
上述の課題を解決するために、本発明の一側面にかかる移動体通信システムは、移動局毎に移動局を呼び出すためのページング処理の成功時の時刻情報と当該ページング処理の対象エリアを示す位置登録エリアとを含むページング履歴情報を蓄積する履歴情報格納部と、ページング処理を実行する時刻を含む時間帯に対応した時刻情報を含むページング履歴情報を集計し、集計したページング履歴情報に含まれる位置登録エリアを基に、移動局が時刻に在圏する可能性の高いエリアを含む位置登録エリアを推定するエリア推定部と、エリア推定部によって推定された位置登録エリアを優先的に対象として、移動局に対するページング処理を実行し、当該ページング処理が成功した場合に当該ページング処理に関するページング履歴情報を履歴情報格納部に登録するページング処理部と、を備える。
【０００８】
上記一側面によれば、ページング処理を実行する時刻の時間帯に過去にページング処理が成功した位置登録エリアが集計され、集計された位置登録エリアを基に移動局が在圏する可能性の高いエリアを含む位置登録エリアが推定される。そして、推定された位置登録エリアを優先的に対象として移動局に対してページング処理が実行される。これにより、過去のページング処理の履歴を利用して効率的にページング処理を実行することができる。その結果、移動体通信システムのコアネットワークの処理負荷を高めることなく、ページング信号の通信量を効果的に削減することができる。
【発明の効果】
【０００９】
本発明によれば、コアネットワーク側の処理負荷を低減しつつページング信号の通信量を効果的に抑制することができる。
【図面の簡単な説明】
【００１０】
【図１】本発明の好適な一実施形態にかかる移動体通信システム１００の構成を示すブロック図である。
【図２】図１のＭＭＥ４０の機能構成を示すブロック図である。
【図３】図２の在圏履歴データベース７０に記憶されたエリア推定部４３の集計対象のページング履歴情報のデータ構成を示す図である。
【図４】図２のエリア推定部４３によって推定された時間帯毎の推定在圏ＴＡのデータ構成を示す図である。
【図５】図１の移動体通信システム１００によるページング処理の手順を示すフローチャートである。
【図６】図１のＭＭＥ４０のハードウェア構成の一例を示すブロック図である。
【図７】図１の移動体通信システム１００によるページング処理の手順の変形例を示すフローチャートである。
【発明を実施するための形態】
【００１１】
添付図面を参照しながら本発明の実施形態を説明する。可能な場合には、同一の部分には同一の符号を付して、重複する説明を省略する。
【００１２】
図１は、本発明の好適な一実施形態にかかる移動体通信システム１００の構成を示すブロック図である。図１に示されているとおり、この移動体通信システム１００は、複数の基地局装置２０と、在圏履歴データベース（履歴情報格納部）７０、ＭＭＥ（Mobility  Management Entity）４０、Ｓ−ＧＷ（Serving  Gateway）６０、及びＰ−ＧＷ（Packet  data  network  Gate  Way）５０を含むコアネットワーク９０とによって構成されている。図１においては、コアネットワーク９０内に、在圏履歴データベース７０、ＭＭＥ４０、Ｓ−ＧＷ６０、及びＰ−ＧＷ５０が１つずつ図示されているが、実際の移動体通信システム１００にはいずれか又は全てが複数備えられている。スマートフォン、タブレット端末を含むＵＥ（User  Equipment）１０（移動局）は、この移動体通信システム１００と通信接続することにより通信を行うことができる。
【００１３】
基地局装置２０は、ＭＭＥ４０に接続された無線基地局であるとともに、無線アクセス制御機能を有した装置である。基地局装置２０は、ＵＥ１０から発信があった際の受付制御機能、及び他のＵＥ１０あるいはサーバ装置等からＵＥ１０に着信があった際にＵＥ１０を呼び出すページング処理の機能を基本機能として有している。複数の基地局装置２０は、１つのＴＡ（トラッキングエリア：位置登録エリア）３０の範囲に収容されており、この位置登録エリアＴＡ３０は、ＵＥ１０に対するページング処理の開始時の初回のページング信号の送信対象のエリアの範囲である。
【００１４】
ＭＭＥ４０は、ＵＥ１０から位置登録要求があった際に、基地局装置２０を介してＵＥ１０と接続されるノード装置である。ここで、ＭＭＥ４０は、移動体通信システム１００のネットワークに在圏するＵＥ１０の位置管理、認証制御、及びＰ−ＧＷ５０とＵＥ１０との間の通信経路（ベアラー）の設定処理を行う部分である。加えて、ＭＭＥ４０は、ＵＥ１０に対する着信があった場合にＵＥ１０に対するページング処理を制御する機能も有する。この際、ＭＭＥ４０は、コアネットワーク９０内の在圏履歴データベース７０にアクセスしながらページング処理を制御する。１つのＭＭＥ４０は、複数のＴＡ３０を含むプールエリア８０内の基地局装置２０と接続可能に構成される。
【００１５】
Ｓ−ＧＷ６０は、パケット交換機であり、Ｐ−ＧＷ５０との間でＵＥ１０に対する通信サービスの提供用のデータの送受信を行う。Ｐ−ＧＷは、外部ネットワークＮＷに接続されるゲートウェイ装置であり、外部ネットワークＮＷとの間でＵＥ１０に対する通信サービスの提供用のデータの送受信を行う。
【００１６】
次に、図２を参照してＭＭＥ４０の機能構成について説明する。図２は、図１のＭＭＥ４０の機能構成を示すブロック図である。図２に示すように、ＭＭＥ４０は、機能的な構成要素として、位置管理部４１、ページング要求受信部４２、エリア推定部４３、ページング処理部４４、及び位置登録エリア記憶部４５を含んで構成されている。以下、各構成要素について説明する。
【００１７】
位置管理部４１は、ＵＥ１０が直近に在圏しているＴＡ３０をＵＥ１０ごとに管理する機能と、ＵＥ１０が自己の存在するＴＡ３０をコアネットワーク９０側に知らせるための位置登録信号を送信する位置登録要求を制御するためのＴＡリストを、ＵＥ１０ごとに割り当てる機能と、を有する。すなわち、位置管理部４１は、位置登録要求あるいはページング動作によって取得したＵＥ１０の在圏のＴＡ３０の情報をＵＥ１０ごとに位置登録エリア記憶部４５に記憶（登録）する。また、位置管理部４１は、ＵＥ１０から位置登録信号を受信すると、その位置登録信号に含む情報によって特定されたＴＡ３０を含み、プールエリア８０内の他のＴＡ３０の情報を含むＴＡリストをＵＥ１０ごとに設定し、そのＴＡリストを、位置登録エリア記憶部４５に記憶（登録）するとともにＵＡ１０に通知する。ＴＡリストを取得したＵＡ１０は、ＴＡリストによって特定された複数のＴＡ３０のエリア外に移動した場合にのみ、位置登録要求を送信するように動作する。
【００１８】
ページング要求受信部４２は、ＵＥ１０に対して着信があった場合に、外部ネットワークＮＷ又は他のＵＥ１０からページング処理の開始要求を受信する機能を有する。ページング要求受信部４２は、ページング処理の開始要求があった場合は、エリア推定部４３及びページング処理部４４にページング処理の開始を指示する。
【００１９】
エリア推定部４３は、ページング処理の開始要求があった場合に、在圏履歴データベース７０に格納されたページング履歴情報から集計されたＴＡ３０に関するＴＡ集計情報を基に、ＵＥ１０がページングを実行する時刻であるページング実行時刻に在圏する可能性の高いエリアを含むＴＡ３０を推定する機能を有する。図３には、在圏履歴データベース７０に記憶されたエリア推定部４３の集計対象のページング履歴情報のデータ構成の一例を示す。図３に示すように、ページング履歴情報は、過去にページング処理部４４によって実行されて成功したページング処理に関する履歴を示す情報であり、そのページング処理の対象のＵＥ１０を識別するＵＥ識別情報“ＵＥ００１”と、ページング処理が成功した時刻を示す時刻情報“2016/12/1  08:00:00”と、ページング処理の対象ＴＡを示すＴＡ識別情報“TA001”とが関連付けられた情報である。このＴＡ識別情報は、ページング処理が成功した際にＵＥ１０が在圏していたＴＡを示し、ページング処理の対象エリアを示す。このページング履歴情報は、ＵＥ１０毎に所定期間（例えば、１ヶ月分）蓄積されて在圏履歴データベース７０に記憶される。
【００２０】
詳細には、エリア推定部４３は、所定のタイミングで、在圏履歴データベース７０に記憶されたページング履歴情報を集計し、ＵＥ識別情報毎、時刻情報の示す時刻が含まれる時間帯毎にＴＡ識別情報の件数を集計する。そして、エリア推定部４３は、ＵＥ識別情報毎及び時間帯毎に最も件数の多いＵＥ識別情報を決定し、そのＵＥ識別情報を、当該時間帯にＵＥ１０が在圏する可能性の高いＴＡ（推定在圏ＴＡ）として推定する。集計処理を実行するタイミングとしては、所定時間間隔のタイミングであってもよいし、所定時刻のタイミングであってもよいし、該当するＵＥ１０に対するページング処理の開始要求があったタイミングであってもよい。ここで、エリア推定部４３は、ＵＥ１０毎の集計対象のページング履歴情報の件数が所定の件数（例えば、過去１ヶ月で１００件以上）を超えた場合のみ、集計したＵＥ識別情報からＵＥ１０が在圏する可能性の高いＴＡを推定するようにする。図４には、エリア推定部４３によって推定された時間帯毎の推定在圏ＴＡの情報の一例を示す。図４に示す例では、エリア推定部４３は、ページング履歴情報を曜日及び時間帯毎に集計し、その結果、曜日情報“Mon”および時間帯情報“0”によって示される時間帯“月曜日の０時台”におけるＵＥ識別情報“UE00X”の示すＵＥ１０の推定在圏ＴＡとして、ＴＡ識別情報“TA00X”の示すＴＡを決定する。さらに、エリア推定部４３は、ＵＥ１０毎、曜日毎、及び時間帯毎に決定した推定在圏ＴＡの情報を位置登録エリア記憶部４５にその都度記憶する。
【００２１】
ページング処理部４４は、ページング要求受信部４２から、ページング処理の開始の指示を受けた場合に、ＵＥ１０を対象としたページング処理を実行する。このとき、ページング処理部４４は、位置登録エリア記憶部４５から、該当ＵＥ１０に対応する推定在圏ＴＡの情報のうちページング処理を実行する時刻を含む時間帯に対応する推定在圏ＴＡを読み出し、この推定在圏ＴＡの示すＴＡ３０を優先的に対象としてＵＥ１０に対するページング処理を実行する。例えば、図４に示す推定在圏ＴＡの情報の例によれば、「木曜日の８時台」の時刻にＵＥ識別情報“UE001”によって識別されるＵＥ１０に対してページング処理を実行する際に、ＴＡ識別情報“TA001”によって識別されるＴＡ３０が、優先的にページング処理を行う対象のエリアとされる。このページング処理は、ページング処理部４４から対象とされたＴＡ３０に含まれる基地局装置２０に対して、該当のＵＥ１０に対してページング信号の送信を要求することにより開始される。ページング信号を受けたＵＥ１０は、基地局装置２０を経由してコアネットワーク９０に対してベアラーの設定の依頼を送信し、これに対してＵＥ１０とコアネットワーク９０との間でベアラーが設定される。ページング処理部４４は、ベアラーの設定が完了した場合にページング処理が成功したことを検出する。なお、ページング処理部４４は、単にＵＥ１０から基地局装置２０がページング信号に対する返信を受けたことでページング処理の成功を検出してもよい。そして、ページング処理部４４は、ページング処理の成功を検出した際には、そのページング処理の対象のＵＥ１０を識別するＵＥ識別情報と、ページング処理を実行した時刻に関する時刻情報と、ページング処理の対象のＴＡを識別するＴＡ識別情報とを含むページング履歴情報を、在圏履歴データベース７０に記憶（登録）する。このＴＡ識別情報は、ページング処理が成功した際にＵＥ１０が在圏していたＴＡを位置登録エリア記憶部４５から読み出すことで特定される。
【００２２】
一方で、ページング処理部４４は、推定在圏ＴＡの示すＴＡ３０を優先的に対象としたＵＥ１０に対するページング処理が失敗した際には、次に、位置登録エリア記憶部４５に記憶されたＴＡリストに含まれるＴＡ３０の全てを対象に再度ページング処理を実行する。このＴＡリストには、ＵＥ１０が直近に在圏していたＴＡ３０の他、プールエリア８０内の他のＴＡ３０も含んで割り当てられている。そして、ページング処理部４４は、このページング処理の成功を検出した際には、そのページング処理に関するページング履歴情報を、在圏履歴データベース７０に記憶する。
【００２３】
次に、上述した構成の移動体通信システム１００のページング処理について説明する。図５は、移動体通信システム１００によるページング処理の動作手順を示すフローチャートである。
【００２４】
図５に示すように、まず、あるＵＥ１０に対する着信が検出されると（ステップＳ０１）、ＭＭＥ４０のエリア推定部４３により、ＵＥ１０が直近に在圏していたＴＡ３０の情報と該当のＵＥ１０に関するページング履歴情報とが読み出される（ステップＳ０２）。その後、エリア推定部４３により、ＵＥ１０に関するページング履歴情報が所定の件数を超えているか否かが判定される（ステップＳ０３）。判定の結果、ページング履歴情報が所定の件数を超えていると判定された場合には（ステップＳ０３；ＹＥＳ）、エリア推定部４３によりページング履歴情報が時間帯毎に集計され、その集計の結果を基に推定在圏ＴＡが決定され、ＭＭＥ４０のページング処理部４４によりその推定在圏ＴＡを対象としたページング処理が実行される（ステップＳ０４）。一方で、ページング履歴情報が所定の件数を超えていないと判定された場合には（ステップＳ０３；ＮＯ）、ページング処理部４４によりＵＥ１０が直近に在圏していたＴＡ３０を対象にページング処理が実行される（ステップＳ０５）。
【００２５】
その後、ページング処理部４４により、ページング処理が成功したか否かが検出される（ステップＳ０６）。その結果、ページング処理の成功が検出された場合は（ステップＳ０６；ＹＥＳ）、ページング処理部４４により在圏履歴データベース７０に成功したページング処理に関するページング履歴情報が記憶される（ステップＳ０８）。ページング処理の成功が検出されなかった場合は（ステップＳ０６；ＮＯ）、ページング処理部４４により、位置登録エリア記憶部４５からＴＡリストが読み出され、そのＴＡリストに含まれる複数のＴＡ３０を対象に再度ページング処理が実行される（ステップＳ０７）。最後に、ページング処理部４４により在圏履歴データベース７０に再度の処理により成功したページング処理に関するページング履歴情報が記憶される（ステップＳ０８）。
【００２６】
つぎに、本実施形態の移動体通信システム１００の作用効果について説明する。この移動体通信システム１００においては、ページング処理を実行する時刻の時間帯に過去にページング処理が成功したＴＡが集計され、集計されたＴＡを基にＵＥ１０が在圏する可能性の高いエリアを含むＴＡが推定される。そして、推定されたＴＡを優先的に対象としてＵＥ１０に対してページング処理が実行される。これにより、過去のページング処理の履歴を利用して効率的にページング処理を実行することができる。その結果、移動体通信システムのコアネットワークの処理負荷を高めることなく、ページング信号の通信量を効果的に削減することができる。特に、本実施形態では、成功したページング処理の履歴を基に優先的にページング処理の対象とするＴＡを決定しているので、時期的なＵＥ１０のユーザの行動パターンに加えて、時期的なネットワーク内の輻輳状態を含む通信状態も加味した上で、効率的にページング処理を実行することができる。
【００２７】
また、上記実施形態では、推定在圏ＴＡを対象にしたページング処理が失敗した場合には、ＵＥ１０が直近に在圏していたことが登録されていたＴＡを対象に再度ページング処理が実行されている。これにより、ＵＳ１０の在圏するＴＡの推定精度が低い場合でも、ページング処理をより確実に成功させることができる。
【００２８】
また、推定在圏ＴＡの決定は、集計対象のページング履歴情報の件数が閾値を超えた場合にのみ行われている。このようにすることで、ＵＥ１０の在圏するＴＡの推定精度が向上し、その結果、より効率的にページング処理を実行することができる。
【００２９】
さらに、ページング履歴情報の集計は、曜日毎及び時間帯毎に行なわれている。この場合、集計によってＵＥ１０の在圏するＴＡの時間的傾向が推定されやすくなり、その結果、より効率的にページング処理を実行することができる。
【００３０】
また、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００３１】
例えば、本発明の一実施の形態における移動体通信システム１００を構成する各ノードなどは、本実施形態の移動体通信システム１００の処理を行うコンピュータとして機能してもよい。図６は、本実施形態に係る移動体通信システム１００を構成するＭＭＥ４０のハードウェア構成の一例を示す図である。上述のＭＭＥ４０は、物理的には、プロセッサ１００１、メモリ１００２、ストレージ１００３、通信装置１００４、入力装置１００５、出力装置１００６、バス１００７などを含むコンピュータ装置として構成されてもよい。
【００３２】
なお、本明細書における説明では、「装置」という文言は、回路、デバイス、ユニットなどに読み替えることができる。ＭＭＥ４０のハードウェア構成は、図に示した各装置を１つ又は複数含むように構成されてもよいし、一部の装置を含まずに構成されてもよい。
【００３３】
ＭＭＥ４０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００３４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、位置管理部４１、ページング要求受信部４２、エリア推定部４３、ページング処理部４４などは、プロセッサ１００１で実現されてもよい。
【００３５】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ＭＭＥ４０の位置管理部４１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００３６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係るページング処理を実施するために実行可能なプログラム（プログラムコード）、ソフトウェアモジュールなどを保存することができる。
【００３７】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。例えば、位置登録エリア記憶部４５などは、ストレージ１００３で実現されてもよい。
【００３８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【００３９】
入力装置１００５は、外部からの入力を受け付ける入力デバイスであり、出力装置１００６は、外部への出力を実施する出力デバイスである。入力装置１００５及び出力装置１００６は、両者が一体となったタッチパネルディスプレイで実現されてもよい。
【００４０】
また、プロセッサ１００１やメモリ１００２などの各装置は、情報を通信するためのバス１００７で接続される。バス１００７は、単一のバスで構成されてもよいし、装置間で異なるバスで構成されてもよい。
【００４１】
また、ＭＭＥ４０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００４２】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００４３】
例えば、上述した構成の移動体通信システム１００によるページング処理は、図７に示す手順で行われてもよい。図７は、移動体通信システム１００によるページング処理の動作手順の変形例を示すフローチャートである。このページング処理は、図５に示した手順と比較して、３段階でページング処理の対象のエリアを変更している点が異なる。
【００４４】
図７に示すように、まず、あるＵＥ１０に対する着信が検出されると（ステップＳ１１）、ＭＭＥ４０のエリア推定部４３により、ＵＥ１０が直近に在圏していたＴＡ３０の情報と該当のＵＥ１０に関するページング履歴情報とが読み出される（ステップＳ１２）。その後、エリア推定部４３により、ＵＥ１０に関するページング履歴情報が所定の件数を超えているか否かが判定される（ステップＳ１３）。判定の結果、ページング履歴情報が所定の件数を超えていると判定された場合には（ステップＳ１３；ＹＥＳ）、エリア推定部４３によりページング履歴情報が時間帯毎に集計され、その集計の結果を基に推定在圏ＴＡが決定され、ＭＭＥ４０のページング処理部４４によりその推定在圏ＴＡを対象としたページング処理が実行される（ステップＳ１４）。一方で、ページング履歴情報が所定の件数を超えていないと判定された場合には（ステップＳ１３；ＮＯ）、推定在圏ＴＡを対象としたページング処理が実行されないでスキップされる。
【００４５】
その後、ページング処理部４４により、ページング処理が成功したか否かが検出される（ステップＳ１５）。その結果、ページング処理の成功が検出された場合は（ステップＳ１５；ＹＥＳ）、ページング処理部４４により在圏履歴データベース７０に成功したページング処理に関するページング履歴情報が記憶される（ステップＳ１９）。一方、ページング処理の成功が検出されなかった場合（ステップＳ１５；ＮＯ）、あるいは、推定在圏ＴＡを対象としたページング処理が実行されないでスキップされた場合は、ページング処理部４４によりＵＥ１０が直近に在圏していたＴＡ３０を対象にページング処理が実行される（ステップＳ１６）。
【００４６】
その後、ページング処理部４４により、ページング処理が成功したか否かが検出される（ステップＳ１７）。その結果、ページング処理の成功が検出された場合は（ステップＳ１７；ＹＥＳ）、ページング処理部４４により在圏履歴データベース７０に成功したページング処理に関するページング履歴情報が記憶される（ステップＳ１９）。ページング処理の成功が検出されなかった場合は（ステップＳ１７；ＮＯ）、ページング処理部４４により、位置登録エリア記憶部４５からＴＡリストが読み出され、そのＴＡリストに含まれる複数のＴＡ３０を対象に再度ページング処理が実行される（ステップＳ１８）。最後に、ページング処理部４４により在圏履歴データベース７０に再度の処理により成功したページング処理に関するページング履歴情報が記憶される（ステップＳ１９）。
【００４７】
このような変形例にかかるページング処理の手順によっても、ＵＳ１０の在圏するＴＡの推定精度が低い場合に、ページング処理をより確実に成功させることができる。
【００４８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００４９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５０】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００５１】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００５４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５６】
なお、本明細書で説明した用語及び／又は本明細書の理解に必要な用語については、同一の又は類似する意味を有する用語と置き換えてもよい。
【００５７】
上述したパラメータに使用する名称はいかなる点においても限定的なものではない。
【００５８】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００５９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６０】
「含む（include）」、「含んでいる（comprising）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００６１】
本明細書において、文脈または技術的に明らかに1つのみしか存在しない装置である場合以外は、複数の装置をも含むものとする。
【００６２】
本開示の全体において、文脈から明らかに単数を示したものではなければ、複数のものを含むものとする。
【符号の説明】
【００６３】
１０…ＵＥ（移動局）、２０…基地局装置、３０…ＴＡ（位置登録エリア）、４０…ＭＭＥ、４１…位置管理部、４２…ページング要求受信部、４３…エリア推定部、４４…ページング処理部、４５…位置登録エリア記憶部、７０…在圏履歴データベース（履歴情報格納部）、９０…コアネットワーク、１００…移動体通信システム。
【図１】
2018117272.tif 000003
【図２】
2018117272.tif 000004
【図３】
2018117272.tif 000005
【図４】
2018117272.tif 000006
【図５】
2018117272.tif 000007
【図６】
2018117272.tif 000008
【図７】
2018117272.tif 000009